(57)【要約】【課題】コスト増大を招くことなく、図面情報の漏洩を効果的に防止することができる図面印刷システムおよびこれを用いた業務管理システムを提供する。【解決手段】図面データを記憶する記憶部と、記憶部から図面データを読み込んで、その図面データの印刷イメージ上に隠し文字を背景として重ね合わせて印刷するための印刷データを作成し、作成した印刷データを印刷装置に対して出力する印刷制御部とを有する図面印刷システムである。印刷制御部は、隠し文字として、少なくとも図面利用者の識別情報と印刷日時を用いるとともに、これら隠し文字が、複写した図面全体に亘って浮かび上がるように印刷データを作成する。【選択図】図２
2007264756.tif 000002
【特許請求の範囲】
【請求項１】
図面データを記憶する記憶部と、
上記記憶部から図面データを読み込んで、その図面データの印刷イメージ上に隠し文字を背景として重ね合わせて印刷するための印刷データを作成し、作成した印刷データを印刷装置に対して出力する印刷制御部とを有する図面印刷システムであって、
上記印刷制御部は、上記隠し文字として、少なくとも図面利用者の識別情報と印刷日時を用いるとともに、これら隠し文字が、複写した図面全体に亘って浮かび上がるように印刷データを作成することを特徴とする図面印刷システム。
【請求項２】
上記識別情報として、利用者に非公開の識別情報を用いることを特徴とする請求項１に記載の図面印刷システム。
【請求項３】
上記印刷制御部は、図面データのセキュリティレベルまたは図面の種類に応じて、上記隠し文字の印刷パターンを変化させることを特徴とする請求項１に記載の図面印刷システム。
【請求項４】
請求項１〜３の何れかに記載の図面印刷システムと、当該図面印刷システムにネットワークを介して接続されたサーバシステムおよびクライアント端末とを有する業務管理システムであって、
上記サーバシステムは、
上記図面印刷システムまたは上記クライアント端末から利用者の認証情報を受信した際に、その認証情報に基づいて利用者の正当性を判定する機能を有し、
上記図面印刷システムは、
上記クライアント端末から図面の印刷要求を受けた際に、上記クライアント端末の利用者の認証情報を上記サーバシステムに送信して、利用者の正当性を照会し、その結果、上記クライアント端末の利用者の正当性が確認された場合に、上記利用者の認証情報から利用者を特定して、その識別情報を隠し文字として印刷するための印刷データを作成し、作成した印刷データを上記クライアント端末に対して送信するとともに、上記識別情報を用いて図面の印刷記録を作成することを特徴とする業務管理システム。
【発明の詳細な説明】
【技術分野】
【０００１】
本発明は、秘密保持が必要な図面等の印刷に用いて好適な図面印刷システムおよびこれを用いた業務管理システムに関するものである。
【背景技術】
【０００２】
設計図面等の図面データを閲覧するためのシステムとして、例えば特許文献１に記載の図面データ配信システムが知られている。この図面データ配信システムにおいては、利用者端末から取得した入力情報（利用者が選択した図面および領域の情報）を基に、それに対応する図面データをサーバが抽出・作成して、利用者端末に送信する構成となっている。この図面データ配信システムによれば、利用者が閲覧を希望する部分の図面データのみを利用者に提供することができるため、利用者端末に送信するデータ量が少なくて済み、このためダウンロードに要する時間を短縮することができるとともに、利用者端末に加わる負荷も軽減することができる。
【０００３】
しかしながら、上記図面データ配信システムにおいては、利用者端末に対して図面データを単に送信するのみであったため、図面の閲覧のみならず、図面の印刷や、図面データのコピー或いは持ち出しまでもが比較的容易にできてしまい、秘密保持が必要な図面の場合に、その流出を防止することが難しいという問題点があった。
【０００４】
近年、情報セキュリティに対する関心が益々高まってきており、例えば建築の見積り等で用いる設計図面についても、その取り扱いに細心の注意が要求されるようになってきている。このような状況の中、上記設計図面の印刷媒体として、例えば、複写物に「複写」あるいは「複写厳禁」等の隠し文字が現れる複写防止用紙を用いることも検討されている。しかしながら、この種の用紙は通常の印刷用紙と比較して格段にコストが高く、また、上記のような隠し文字が現れるのみでは、複写した図面が流出した際に、その流出元を特定することができないため、上記図面データ配信システムと同様、図面情報の流出を防止することが難しいという問題点があった。
また、最近では、上記のような隠し文字を背景（地紋）として普通紙に印字して、複写物に隠し文字が現れるようにしたシステムも開発されている。かようなシステムによれば、普通紙を使用するためコストの増大を回避することができるが、上記と同様、トレーサビリティの点で課題が残る。
【特許文献１】特開２００３−６０８１８号公報
【発明の開示】
【発明が解決しようとする課題】
【０００５】
本発明は、かかる事情に鑑みてなされたもので、コスト増大を招くことなく、図面情報の漏洩を効果的に防止することができる図面印刷システムおよびこれを用いた業務管理システムを提供することを目的とする。
【課題を解決するための手段】
【０００６】
請求項１に記載の本発明に係る図面印刷システムは、図面データを記憶する記憶部と、上記記憶部から図面データを読み込んで、その図面データの印刷イメージ上に隠し文字を背景として重ね合わせて印刷するための印刷データを作成し、作成した印刷データを印刷装置に対して出力する印刷制御部とを有する図面印刷システムであって、上記印刷制御部は、上記隠し文字として、少なくとも図面利用者の識別情報と印刷日時を用いるとともに、これら隠し文字が、複写した図面全体に亘って浮かび上がるように印刷データを作成することを特徴とするものである。なお、上記隠し文字は、上記図面印刷システムで印刷した図面上には現れないが、その複写物には現れる文字列である。
【０００７】
請求項２に記載の発明は、請求項１に記載の図面印刷システムにおいて、上記識別情報として、利用者に非公開の識別情報を用いることを特徴とするものである。
【０００８】
請求項３に記載の発明は、請求項１に記載の図面印刷システムにおいて、上記印刷制御部は、図面データのセキュリティレベルまたは図面の種類に応じて、上記隠し文字の印刷パターンを変化させることを特徴とするものである。
具体的に、隠し文字の印刷パターンを変化させる方法には、同じ文字列を用いて、その文字列の位置や大きさ、濃淡、数量などを変化させる方法と、異なる文字列を用いて印刷パターンを変化させる方法（例えば、セキュリティレベルに応じて、警告メッセージを変化させる方法、あるいは、利用者を特定するために必要な付加情報を増減させる方法）とが含まれる。
【０００９】
請求項４に記載の本発明に係る業務管理システムは、請求項１〜３の何れかに記載の図面印刷システムと、当該図面印刷システムにネットワークを介して接続されたサーバシステムおよびクライアント端末とを有する業務管理システムであって、上記サーバシステムは、上記図面印刷システムまたは上記クライアント端末から利用者の認証情報を受信した際に、その認証情報に基づいて利用者の正当性を判定する機能を有し、上記図面印刷システムは、上記クライアント端末から図面の印刷要求を受けた際に、上記クライアント端末の利用者の認証情報を上記サーバシステムに送信して、利用者の正当性を照会し、その結果、上記クライアント端末の利用者の正当性が確認された場合に、上記利用者の認証情報から利用者を特定して、その識別情報を隠し文字として印刷するための印刷データを作成し、作成した印刷データを上記クライアント端末に対して送信するとともに、上記識別情報を用いて図面の印刷記録を作成することを特徴とするものである。
【発明の効果】
【００１０】
本発明によれば、複写した図面に現れる隠し文字として、図面利用者の識別情報と印刷日時を用いるようにしたので、複写した図面が万が一流出したとしても、その流出元を容易に特定することができる。したがって、図面情報のトレーサビリティの向上を図ることができ、図面情報の漏洩を効果的に防止することができる。また、図面データの印刷イメージ上に上記隠し文字を背景として重ね合わせて印刷するようにしたので、図面の印刷に普通紙を用いることが可能となり、印刷にかかるコストを抑制することができる。
【発明を実施するための最良の形態】
【００１１】
［第１の実施形態］
図１は、本発明に係る図面印刷システムの一実施形態を示すブロック図である。
この実施形態の図面印刷システム１０は、ＣＰＵ（Central Processing Unit ）１１、ＲＡＭ（Random Access Memory）１２、表示装置１３、入力装置１４、記憶装置１５、通信装置１６および印刷装置１７等を有する周知のコンピュータ若しくはかようなコンピュータ複数をネットワークを介して相互に接続してなるコンピュータシステムによって構成されている。
【００１２】
この図面印刷システム１０の記憶装置（記憶部）１５には、ＣＰＵ１１により実行される各種処理プログラムや制御データ等を記憶する記憶領域、図面データ（例えば、ＣＡＤソフトウェアで作成した図面データや、スキャナで読み取った図面データなどを含む。）や後述する隠し文字に関するデータ（利用者の識別情報や所属など）を記憶する記憶領域などを備えている。
【００１３】
この図面印刷システム１０のＣＰＵ（印刷制御部）１１は、上記記憶装置１５に格納された各種処理プログラムを読み込んで実行することにより、（１）スキャナ等の入力装置１４や各種記憶媒体（光ディスクや半導体メモリ等）から図面データを読み込んで、或いはネットワークを介して他のコンピュータから図面データを取得して、記憶装置１５の所定記憶領域に格納する処理や、（２）入力装置１４からの指示入力に基づいて、記憶装置１５の所定記憶領域から図面データを読み込んで、その図面データの印刷イメージ上に隠し文字（不可視の文字列）を背景（地紋）として重ね合わせて印刷するための印刷データを作成し、作成した印刷データを印刷装置１７に対して出力する処理などを行う。
【００１４】
上記隠し文字には、例えば、図面の利用者（図面の配布先や受取人）を特定可能な識別情報、印刷日時、シリアルナンバー、配布元（購買部、積算部等の部門、担当者）を特定可能な情報、印刷会社などが含まれる。本実施形態では、上記識別情報として、図面利用者に非公開の識別情報が用いられている。
上記隠し文字が複写物に現れるように印刷物（図面）に上記隠し文字を埋め込む方法としては、例えば、上記隠し文字の形状をなす第１領域と、それ以外の第２領域とに分けて、その一方の領域に、複写機の解像度の限界により複写後に消えてしまう大きさのドットを、他方の領域に、複写後も残る大きさのドットをそれぞれ用いて、両領域の濃度が概ね同じになるように背景パターンを作成することにより、上記隠し文字を埋め込む方法などが挙げられるが、如何なる方法を採用するようにしてもよい。
【００１５】
図２は、上記隠し文字の一例を示すもので、（ａ）は上記隠し文字が埋め込まれた原本、（ｂ）はその複写物である。この図２に示すように、本実施形態では、複数の隠し文字（トレーサビリティコード）Ｐ１が図面全体に背景として埋め込まれ、複写したときに、それら隠し文字Ｐ１が複写物に浮かび上がるように設定されている。また、原本の四隅部には、隠し文字と同じ内容の文字列Ｐ２が通常の印字形態でそれぞれ印刷されている。
【００１６】
なお、上記隠し文字の濃淡や位置、使用するフォントなど、上記隠し文字の印刷パターンは、図面データのセキュリティレベルや図面の種類に応じて、変化させることも可能である。例えば、特に慎重な取り扱いが必要な図面の場合には、通常の図面よりも多数の隠し文字を濃く浮かび上がらせて、複写後に図面の判読が困難となるように、隠し文字の濃さや密度を調整するようにしてもよい。このような図面に関しては、事前に使用期限を設定して、その期限までに返却を義務付け、回収後にシュレッダー等で廃棄処分することが望ましい。
【００１７】
次に、上記図面印刷システム１０を用いた設計図面の閲覧・配布方法について説明する。
先ず、図面の利用者は、印刷を希望する図面を選択し、その図面を図面提供者に注文する。図面の選択にあたり、図面利用者は、ネットワークを介して上記図面印刷システム１０に接続されたコンピュータ（印刷や図面データの持ち出し等が禁止された閲覧専用のコンピュータ）を操作して、図面印刷システム１０の記憶装置１５に格納された図面を閲覧し、その中から必要な図面を選択する。選択した図面を図面提供者に注文する際には、所定の注文フォームに必要事項（例えば、利用物件名、注文日時、利用者名、希望図面の種類、図面番号、配送方法など）を入力し、当該注文データを、例えば、Ｗｅｂブラウザによるデータ送信或いは電子メールなどを利用して、図面提供者に送信する。
【００１８】
図面提供者は、図面利用者から図面の注文データを受け取ると、図面印刷システム１０の入力装置１４より、印刷する図面データの選択、隠し文字の設定（利用者の識別情報等の入力）、印刷の設定（プリンタ、部数、サイズ指定等）など、図面を印刷するために必要な入力操作を行う。この入力操作に基づいて、図面印刷システム１０のＣＰＵ１１は、前述したように、選択した図面データを記憶装置１５から読み込んで、その図面データの印刷イメージ上に隠し文字を背景として重ね合わせて印刷するための印刷データを作成し、作成した印刷データを印刷装置１７に対して出力する処理を行う。その結果、印刷装置１７からは、図２に示すように、隠し文字が背景に埋め込まれた図面が出力される。図面提供者は、上記注文データから配布記録を作成した後、出力した図面を宅配便等を利用して図面利用者に送付する。
【００１９】
以上のように、本実施形態によれば、複写した図面に現れる隠し文字として、図面利用者の識別情報と印刷日時を用いるようにしたので、複写した図面が万が一流出したとしても、その流出元を容易に特定することができる。したがって、図面情報のトレーサビリティの向上を図ることができ、図面情報の漏洩を効果的に防止することができる。また、図面データの印刷イメージ上に上記隠し文字を背景として重ね合わせて印刷するようにしたので、図面の印刷に普通紙を用いることが可能となり、印刷にかかるコストを低減することができる。
また、原本となる図面を、紙媒体ではなく、電子データで管理することが可能になるため、図面の保管スペースが不要となり、また、図面自体の劣化や破損等も防止することができる。
【００２０】
［第２の実施形態］
この実施形態では、図面印刷システム１０が、図３に示すように、サーバシステム２０や複数のクライアント端末３０と、ＬＡＮ（Local Area Network）やインターネット等のネットワーク４０を介して相互に接続されている。そして、図面印刷システム１０、サーバシステム２０およびクライアント端末３０によって、本発明に係る業務管理システムが構成されている。
【００２１】
サーバシステム２０は、ＣＰＵ、ＲＡＭ、記憶装置、入力装置、表示装置および通信装置等を有する複数のコンピュータ（例えば、Ｗｅｂサーバ、アプリケーションサーバ、データベース管理サーバ、ファイヤーウォールなど）によって構成され、各コンピュータはＬＡＮ等のネットワークを介して相互に接続されている。
【００２２】
このサーバシステム２０は、各クライアント端末３０から利用者の認証情報（例えば、ユーザＩＤ、パスワード、ワンタイムパスワードなど）を受信した際に、その認証情報に基づいて利用者の正当性を判定する機能を備える他、クライアント端末３０からの要求に応じて種々の業務プロセスを実行する機能、その処理結果を所定のデータ形式のファイル（ＨＴＭＬファイル）にして出力する機能、それらファイルをクライアント端末３０に対して送信する機能などを備えている。
【００２３】
また、このサーバシステム２０は、認証情報ＤＢ（社内認証ＤＢ、社外認証ＤＢ）や利用者情報ＤＢを始めとする各種データベースを備えている。認証情報ＤＢには、利用者の認証情報（例えば、ユーザＩＤ、パスワードなど）が格納され、利用者情報ＤＢには、利用者の属性情報（例えば、氏名、所属企業、役職、部署、利用者区分など）が利用者の識別情報（ユーザＩＤ）と対応付けられた状態で格納されている。
【００２４】
クライアント端末３０は、ＣＰＵ、ＲＡＭ、記憶装置、入力装置、表示装置、通信装置および印刷装置等を有する周知のコンピュータにより構成されている。
このクライアント端末３０の記憶装置には、ＣＰＵにより実行される各種処理プログラム（例えば、ＷｅｂブラウザやＣＡＤソフトウェアなど）や制御データ等を記憶する記憶領域、ＣＡＤソフトウェアで作成した図面データ等を記憶する記憶領域などを備えている。
【００２５】
また、クライアント端末３０のＣＰＵは、上記記憶装置に格納された各種処理プログラムを読み込んで実行することにより、入力装置より入力された入力データをサーバシステム２０に対して送信したり、或いはサーバシステム２０から各種データ（ＨＴＭＬファイルなど）を受信して表示装置等に出力したりする処理を実行する。
【００２６】
また、クライアント端末３０のＣＰＵは、入力装置からの指示入力に基づいて、記憶装置に記憶されている図面データを図面印刷システム１０に送信（アップロード）する処理や、図面印刷システム１０に図面の閲覧要求を送信して、図面印刷システム１０から、図面の表示データを受信して表示装置に出力する処理、図面印刷システム１０に図面の印刷要求を送信して、図面印刷システム１０から、隠れ文字が背景として埋め込まれた図面の印刷データを受信して印刷装置に出力する処理等を行う。
【００２７】
図面印刷システム１０は、クライアント端末３０から閲覧要求や印刷要求を受信した際に、クライアント端末３０の利用者の認証情報をサーバシステム２０に送信して、利用者の正当性を照会する処理、利用者の正当性が確認された際に、上記閲覧要求に基づいて、記憶装置から図面データを読み込んで、その図面をクライアント端末３０の表示装置に表示するための表示データ（印刷・保存・コピー・イメージキャプチャが禁止設定された表示データ）を作成する処理、上記印刷要求に基づいて、記憶装置から図面データを読み込んで、その図面データの印刷イメージ上に隠し文字を背景として重ね合わせて印刷するための印刷データを作成し、作成した印刷データをクライアント端末３０に対して出力する処理、上記閲覧要求および上記印刷要求に基づいて図面の閲覧記録および印刷記録を作成・更新する処理などを行う。
【００２８】
次に、図面印刷システム１０、サーバシステム２０およびクライアント端末３０によって行われる図面データの閲覧処理および印刷処理について、図４に基づいて説明する。
【００２９】
（１）図面データの閲覧処理
図面印刷システム１０の記憶装置内の図面データをクライアント端末３０から閲覧する際は、先ず、クライアント端末３０においてＷｅｂブラウザを起動して、業務管理システムのログイン画面のＵＲＬ等を指定する入力操作を行う。すると、クライアント端末３０は、上記ＵＲＬのパス名を送信する処理を行い、これを受信したサーバシステム２０は、クライアント端末３０に対してログイン画面の表示データ（ＨＴＭＬファイル）を送信して、クライアント端末３０の利用者の認証情報（ユーザＩＤ、パスワードなど）を要求する処理を行う。これを受けて、クライアント端末３０は、利用者に認証情報の入力を促すログイン画面を表示装置に表示する処理を行う。
【００３０】
その後、上記ログイン画面において利用者の認証情報が入力されると、クライアント端末３０は、利用者の認証情報をサーバシステム２０に対して送信する。
サーバシステム２０は、クライアント端末３０から利用者の認証情報を受信すると、受信した認証情報と、認証情報ＤＢに予め格納された認証情報との比較・照合により、利用者の正当性を判定する（ステップＳ１）。
【００３１】
上記判定の結果、受信した認証情報が記憶データと一致せず、利用者が正当でないと判定される場合には、認証に失敗したことを示すステータスコードを、認証要求のあったクライアント端末３０に対して送信して、そのクライアント端末３０からのアクセスを拒否する。一方、両者が一致して、利用者が正当であると判定される場合には、利用者情報ＤＢを参照して認証情報から利用者を特定した後、その利用者に応じたトップページの表示データ（ＨＴＭＬファイル等）を作成する。すなわち、利用者の属性情報等に基づいて、利用者がアクセス可能な業務システムや共有情報、或いは利用者宛のメッセージ等を抽出し、これをトップページの所定位置に掲載することによって、利用者の立場や役割に合ったトップページの表示データを作成する。作成した表示データはクライアント端末３０に送信する。
【００３２】
クライアント端末３０は、サーバシステム２０からトップページの表示データを受信すると、当該表示データに基づいて、表示装置にトップページを表示する処理を行う。このトップページにおいて、図面印刷システム１０のリンクを選択する入力操作が行われると、クライアント端末３０は、ログイン時に入力されたユーザＩＤを図面印刷システム１０に対して送信する。図面印刷システム１０は、クライアント端末３０からユーザＩＤを受信すると、このユーザＩＤをサーバシステム２０に送信して、利用者の正当性を照会する処理を実行する。
【００３３】
サーバシステム２０は、図面印刷システム１０からユーザ照会のリクエストを受けると、現在ログイン中のユーザＩＤ群の中に、図面印刷システム１０から受信したユーザＩＤが含まれるか否かを確認することによって、利用者の正当性を判定する。その判定の結果、利用者が正当ではないと判定される場合には、認証に失敗したことを示すステータスコードを図面印刷システム１０に対して送信する一方、利用者が正当であると判定される場合には、認証に成功したことを示すステータスコードと利用者の属性情報を図面印刷システム１０に対して送信する処理を実行する。
【００３４】
図面印刷システム１０は、認証失敗のステータスコードを受信した場合には、エラーメッセージをクライアント端末３０に送信して、クライアント端末３０からのアクセス要求を拒否する。一方、認証成功のステータスコードを受信した場合には、利用者の属性情報に基づいて、利用者が閲覧可能な図面データ（利用者が閲覧する権限を有する図面データ）の一覧を作成し、その表示データをクライアント端末３０に送信する（ステップＳ２）。
【００３５】
クライアント端末３０は、図面印刷システム１０から表示データを受信すると、当該表示データに基づいて、表示装置に図面データの一覧を表示する処理を行う。その後、図面データの一覧の中から何れかを選択する入力操作が行われると、その選択した図面の閲覧要求を、ログイン時に入力されたユーザＩＤとともに図面印刷システム１０に対して送信する。
【００３６】
図面印刷システム１０は、クライアント端末３０から閲覧要求を受けると、上記と同様の手順で利用者の認証を行った後、その利用者の閲覧記録（閲覧した図面や日時などの記録）を作成するとともに、閲覧要求のあった図面データを記憶装置から読み込んで、その図面データを表示するための表示データ（印刷・保存・コピー・イメージキャプチャ等が禁止設定されたＨＴＭＬファイル）を作成し、作成した表示データをクライアント端末３０に対して送信する（ステップＳ３）。クライアント端末３０は、サーバシステム２０から図面の表示データを受信すると、新しいブラウザウィンドウ（ツールバーの表示が無く、右クリックが禁止されたウィンドウ）を開いて表示装置に図面を表示する処理を行う。
【００３７】
（２）図面データの印刷処理
クライアント端末３０で図面を印刷する際には、上記のようにクライアント端末３０の表示装置に図面が表示された状態で、その図面の印刷を要求する入力操作（例えば、表示画面上に設けられた専用の印刷ボタンを左クリックする操作）を行う。すると、クライアント端末３０は、その図面の印刷要求とユーザＩＤを図面印刷システム１０に対して送信する。
【００３８】
図面印刷システム１０は、クライアント端末３０から印刷要求を受けると、上記と同様の手順で利用者の認証を行った後、その利用者の印刷記録（印刷した図面や日時などの記録）を作成するとともに、印刷要求のあった図面データの印刷イメージ上に隠し文字を背景として重ね合わせて印刷するための印刷データ（背景の画像データとこれを図面データの背景に印刷するための制御データ）を作成し、作成した印刷データをクライアント端末３０に対して送信する（ステップＳ４）。このネットワークを経由したリモート印刷には、例えば、ＨＴＴＰプロトコルを用いたＩＰＰ（Internet Printing Protocol）が用いられる。また、上記隠し文字には、利用者の認証情報または属性情報から抽出したユーザＩＤまたはこれに類する利用者の識別情報が用いられるとともに、印刷日時、クライアント端末３０の識別コード（ＩＰアドレス、ＭＡＣアドレスなど）、シリアルナンバーなどが用いられる。クライアント端末３０は、サーバシステム２０から印刷データを受信すると、その印刷データを印刷装置に対して出力する処理を行う。その結果、クライアント端末３０の印刷装置からは、隠し文字が背景に埋め込まれた図面が出力される。
【００３９】
以上のように、本実施形態によれば、前述した第１の実施形態と同様、隠し文字として、図面利用者の識別情報等を用いるようにしたので、複写した図面が万が一流出したとしても、その流出元を容易に特定することができる。したがって、図面情報のトレーサビリティの向上を図ることができ、図面情報の漏洩を効果的に防止することができる。
また、ログイン時に入力する認証情報から利用者を特定して、その利用者の権限の範囲内で、クライアント端末３０から図面の閲覧・印刷ができるようにしたので、図面データのセキュリティの強化を図ることができると同時に、図面利用者の利便性も向上させることができる。
【図面の簡単な説明】
【００４０】
【図１】本発明に係る図面印刷システムの一実施形態を示すブロック図である。
【図２】隠し文字の一例を示すもので、（ａ）は隠し文字が埋め込まれた原本、（ｂ）はその複写物である。
【図３】本発明に係る業務管理システムの一実施形態を示す概略構成図である。
【図４】図３の図面印刷システムおよびサーバシステムによって行われる図面の閲覧・印刷処理の流れを示すフローチャートである。
【符号の説明】
【００４１】
１０  図面印刷システム
１１  ＣＰＵ（印刷制御部）
１５  記憶装置（記憶部）
１７  印刷装置
２０  クライアント端末
３０  サーバシステム
【図１】
2007264756.tif 000003
【図２】
2007264756.tif 000004
【図３】
2007264756.tif 000005
【図４】
2007264756.tif 000006